(57)【要約】【課題】より簡単に製造されかつより簡単に用いられる、発光管／シュラウド組合せのための取付け部材を提供する。【解決手段】環帯５２が、該環帯の外縁部から垂下した少なくとも１つの取付けタブ５４と、前記環帯の直径に亘って延びた、間隔を置いて配置された２つの発光管ピンチシール係合リブ５６，５８とを有する。【選択図】図３
2004281396.tif 000002
【特許請求の範囲】
【請求項１】
発光管／シュラウド組合せのための取付け部材において、
環帯が設けられており、該環帯が、該環帯の外縁部から垂下した少なくとも１つの取付けタブと、前記環帯の直径に亘って延びた、間隔を置いて配置された２つの発光管ピンチシール係合リブとを有することを特徴とする、発光管／シュラウド組合せのための取付け部材。
【請求項２】
前記リブのうちの１つに、前記環帯の中央に向かって内方へ曲げられた、直立した２つの突出部が設けられている、請求項１記載の取付け部材。
【請求項３】
前記リブの両方に、環帯の中央に向かって内方へ曲げられた、直立した２つの突出部が設けられている、請求項２記載の取付け部材。
【請求項４】
前記突出部が互いに向かい合っている、請求項３記載の取付け部材。
【請求項５】
前記環帯が、該環帯から垂下した、向かい合って配置された２つの取付けタブを有している、請求項１記載の取付け部材。
【請求項６】
前記環帯が、前記取付けタブの間の実質的に中間に位置決めされた、垂下した２つの保持タブを有している、請求項５記載の取付けタブ。
【請求項７】
アーク放電ランプのための発光管／シュラウドアセンブリにおいて、
中央部分及び向かい合ったピンチシールを有する発光管と、
該発光管を取り囲んだシュラウドとが設けられており、該シュラウドが円筒状であり、
１対の取付け部材が設けられており、前記シュラウドの各端部に１つの取付け部材が位置決めされており、各取付け部材が環帯を含んでおり、該環帯が、該環帯の外縁部から垂下した少なくとも１つの取付けタブと、前記環帯の直径に亘って延びた、間隔を置いて配置された２つの発光管ピンチシール係合リブとを有していることを特徴とする、アーク放電ランプのための発光管／シュラウドアセンブリ。
【発明の詳細な説明】
【技術分野】
【０００１】
本発明はランプ、特にアーク放電ランプに関する。さらに具体的には、本発明は、発光管と、シールド又はシュラウドと、シュラウド内に発光管を取り付けるための手段とを採用したアーク放電ランプに関する。
【背景技術】
【０００２】
メタルハライドアーク放電ランプは、その高いランプ効率及び長寿命により、しばしば商業的利用に採用されている。典型的なメタルハライドアーク放電ランプは、ホウケイ酸塩ガラス製の外管内に密閉シールされた石英又は融解石英製の発光管を有している。それ自体が密閉シールされた発光管は、両端部にシールされたタングステン電極を有しており、始動を容易にするために、水銀、メタルハライド添加物及び希ガスを含む充填材料を含んでいる。幾つかの場合、特に高ワット数ランプにおいて、外管は、大気圧未満で窒素又は別の不活性ガスで充填されている。別の場合、特に低ワット数ランプにおいては、外管は真空である。
【０００３】
メタルハライドアーク放電ランプに、高い作動温度に耐えることができる石英等の概して円筒状の透光性部材を有するシュラウドを提供することが望ましいことが分かった。発光管及びシュラウドは、発光管がシュラウド内に配置されながら、ランプ外管内に同軸的に取り付けられている。有利には、シュラウドは、両端部において開放した管である。別の場合には、シュラウドは、一端において開放しておりかつ他端においてドーム状の輪郭を有する。メタルハライドアーク放電ランプのためのシュラウドは、１９８５年２月１２日にフォール他に発行された米国特許第４４９９３９６号明細書及び１９８６年４月８日にフォール他に発行された米国特許第４５８０９８９号明細書に開示されている。１９８１年７月２８日にベチャード他に発行された米国特許第４２８１２７４号明細書も参照されたい。
【０００４】
シュラウドは、ランプ動作に対して複数の有利な効果を有する。ガスが充填された外管を備えたランプにおいて、シュラウドは、発光管からの対流熱損失を低減し、これにより、ランプの照明出力及び色温度を改善する。真空の外管を備えたランプにおいて、シュラウドは、発光管の温度を平衡させることを助ける。さらに、シュラウドは、ナトリウム損失を有効に低減し、外管の内面にけい光物質コーティングを有するメタルハライドランプにおけるけい光物質効率の維持を改善する。最後に、シュラウドは、発光管が破壊された場合に閉鎖装置として作用することによりランプの安全性を改善する。
【０００５】
発光管及びシュラウドを位置決めする既存の支持部材は、かなり複雑であり、製造するのが困難である。さらに、これらの支持部材は、発光管に取り付けることが困難であり、しばしば組立て者に対して人間工学的問題を生じる。
【発明の開示】
【発明が解決しようとする課題】
【０００６】
したがって、本発明の課題は、従来技術の欠点を排除することである。
【０００７】
本発明の別の課題は、メタルハライドアーク放電ランプの組立てを高めることである。
【課題を解決するための手段】
【０００８】
これらの課題は、本発明の１つの態様において、環帯を有していて、この環帯が、環帯の外縁部から垂下した少なくとも１つの取付けタブと、前記環帯の直径に亘って延びた間隔を置いて配置された２つの発光管ピンチシール係合リブとを有している、発光管／シュラウド組合せのための取付け部材を提供することによって解決された。
【０００９】
これらの課題はさらに、中央部分及び向き合ったピンチシールを備えた発光管を有するアーク放電ランプのための発光管／シュラウドアセンブリを提供することによって解決された。円筒状シュラウドは、発光管を取り囲んでおり、それぞれの端部に取り付けられた環帯から成る取付け部材を有している。環帯は、環帯の外縁部から垂下した少なくとも１つの取付けタブと、前記環帯の直径に亘って延びた、間隔を置いて配置された２つの発光管ピンチシール係合部とを有している。ピンチシール係合リブは、発光管のピンチシールを摩擦により掴持し、発光管をシュラウド内に位置決めする。小片が環帯の縁部から突出しており、発光管／シュラウドアセンブリがランプ外管内においてフレームに取り付けられることを可能にしている。
【００１０】
このように構成されたランプはより簡単に組み立てられ、取付け部材は、より簡単に製造されかつより簡単に用いられ、ひいては、人間工学的問題を低減し、組立てコストを低減する。
【発明を実施するための最良の形態】
【００１１】
本発明のその他の課題、利点及び能力と共に本発明をさらによく理解するために、下記の図面に関連した以下の開示及び添付の請求項が参照される。
【００１２】
ここで図面をさらに詳しく参照すると、図１には従来の取付け部材を採用した典型的なメタルハライドアーク放電ランプ１０が示されている。放電ランプ１０は、ランプ外管１２と、取付けフレーム１６によって外管内に取り付けられた発光管１４とを含むものとして示されている。発光管は、やはり取付けフレーム１６によって支持されることができるシュラウド２０内に位置決めされている。電気エネルギは、口金２２と、ランプステム２４と、電気導入線２６及び２８とを通じて発光管１４に接続される。発光管は、知られているように、アークが開始された場合に光を提供するために、化学的充填物又は材料の用量を含んでいる。シュラウド２０は、石英等の透光性で耐熱性の材料から成る円筒状の管を含む。
【００１３】
前記のように、この特定の実施例において、取付けフレーム１６は、取付け部材２１を使用することによって発光管１４とシュラウド２０とをランプ外管１２内に支持している。取付けフレーム１６は、ストラップ３１によってランプステム２４に取り付けられた金属製の支持ロッド３０を有している。支持ロッドは、ランプ外管１２の上端部において内部突出部３２と係合している。支持ロッド３０は中央部においては、発光管１４及びシュラウド２０の中心軸線に対して平行である。取付け手段１６はさらに、上部クリップ４０及び下部クリップ４２を有しており、これらのクリップは、取付け部材２１の一部でありかつ、発光管１４及びシュラウド２０を支持ロッド３０に固定している。クリップ４０及び４２は、有利には溶接によって支持ロッド３０に取り付けられている。
【００１４】
ここで図３〜図６を参照すると、取付け部材５０，５０′，５０′′，５０′′′の複数の実施形態が示されている。それぞれの取付け部材は、環帯５２を有しており、この環帯５２は、環帯の外縁部から垂下した少なくとも１つ、有利には２つの取付けタブ５４を有している。これらの取付けタブは、アセンブリを外管内で位置決めするために溶接等によって後のアセンブリを所要の支持ロッドに固定するために用いられる。間隔を置いた２つのリブ５６，５８が環帯の中央直径に亘って延びている。図３、図４及び図６に示された実施形態において、直立した突出部６０がリブ５６及び５８に設けられており、タブは、環帯の中央に向かって内方へ延びておりかつ発光管のピンチシールされた端部において締りばめを提供する。図５に示された実施形態において、タブ６０は排除されており、リブ５６，５８の間の間隔が取付けのための所要の摩擦を提供する。それぞれの実施形態において、環帯には、シュラウドの側部に係合するための少なくとも１つ、有利には２つのばね状の保持タブ６２が設けられている。有利な実施形態において、保持タブ６２は、取付けタブ５４の間に等間隔で配置されている。
【００１５】
本発明を用いるアーク放電ランプのための発光管／シュラウドアセンブリが図２に示されている。この場合、中央部分６６及び向き合ったピンチシール６８，７０を有する発光管６４が１対の取付け部材５０′′′によって円筒状シュラウド７２に取り付けられている。突出部６０は、ピンチシールに摩擦によって係合し、取付けタブ５４を使用することによって支持ロッド７４に固定するために準備された発光管／シュラウドアセンブリを提供する。図２に示されたアセンブリは、それぞれの環帯における２つの取付けタブ５４を使用する。しかしながら、１つの支持ロッド３０が使用される、図１に示された支持手段が使用されるならば、環帯は１つの取付けタブ５４しか有する必要はない。
【００１６】
これらの取付け部材は、より単純に製造されかつより簡単に使用されるという点において、従来技術のものよりも多くの利点を提供する。簡単に使用されることにより、従来技術に関連していた人間工学的問題が著しく低減される。
【００１７】
本発明の有利な実施形態であると現時点で考えられるものが示されかつ説明されたが、添付の請求項によって定義されているような本発明の範囲から逸脱することなく様々な変更及び修正が実施形態において行われることができる。
【図面の簡単な説明】
【００１８】
【図１】従来の取付け部材を採用した従来のアーク放電ランプの斜視図である。
【００１９】
【図２】本発明を利用した発光管／シュラウドの平面図である。
【００２０】
【図３】本発明に対応に基づく取付け部材の実施形態の斜視図である。
【００２１】
【図４】択一的な実施形態の同様の図である。
【００２２】
【図５】付加的な実施形態の同様の図である。
【００２３】
【図６】さらに別の実施形態の同様の図である。
【符号の説明】
【００２４】
１０  放電ランプ、  １２  ランプ外管、  １４  発光管、  １６  取付けフレーム、  ２０  シュラウド、  ２２  口金、  ２４  ランプステム、  ２６，２８  電気導入線、  ３０  支持ロッド、  ３１  ストラップ、  ３２  内部突出部、  ４０  上部クリップ、  ４２  下部クリップ、  ５０  取付け部材、  ５２  環帯、  ５４  取付けタブ、  ５６，５８  リブ、  ６０  突出部、  ６２  保持タブ、  ６６  中央部、  ６８，７０  ピンチシール、  ７２  シュラウド、  ７４  支持ロッド
【図１】
2004281396.tif 000003
【図２】
2004281396.tif 000004
【図３】
2004281396.tif 000005
【図４】
2004281396.tif 000006
【図５】
2004281396.tif 000007
【図６】
2004281396.tif 000008